(57)【要約】【課題】上半身を載せる部分の傾斜変更に必要な力を軽減できる入浴用担架を提供する。【解決手段】入浴用担架２０は、下半身を載せる部分を構成する第１のフレーム部２１と、第１のフレーム部２１に回動可能に連結されて上半身を載せる部分を構成する第２のフレーム部２２と、第１のフレーム部２１と第２のフレーム部２２との連結部分を跨ぐように当該２つのフレーム部２１、２２に連結されて腰部を載せる部分を構成すると共に、第２のフレーム部２２の回動に連動する第３のフレーム部２３と、を備える。【選択図】図１
2016016213.tif 000002
【特許請求の範囲】
【請求項１】
下半身を載せる部分を構成する第１のフレーム部と、
前記第１のフレーム部に回動可能に連結されて上半身を載せる部分を構成する第２のフレーム部と、
前記第１のフレーム部と前記第２のフレーム部との連結部分を跨ぐように当該２つのフレーム部に連結されて腰部を載せる部分を構成すると共に、前記第２のフレーム部の回動に連動する第３のフレーム部と、
を備えることを特徴とする入浴用担架。
【請求項２】
前記第３のフレーム部は、前記第１のフレーム部に回動可能に連結されると共に、前記第２のフレーム部に回動可能且つスライド移動可能に連結されることを特徴とする請求項１に記載の入浴用担架。
【請求項３】
前記第２のフレーム部には、当該フレーム部に対してスライド移動可能なカバーが取り付けられていることを特徴とする請求項２に記載の入浴用担架。
【請求項４】
前記第３のフレーム部は、前記カバーに回動可能に連結されていることを特徴とする請求項３に記載の入浴用担架。
【請求項５】
請求項１から４のいずれかに記載の入浴用担架を分離可能に備えることを特徴とするストレッチャー。
【請求項６】
前記第１のフレーム部に設けられるローラーが移動するレールを有して前記入浴用担架を移動可能に支持する担架支持部を備えることを特徴とする請求項５に記載のストレッチャー。
【発明の詳細な説明】
【技術分野】
【０００１】
本発明は、入浴用担架及びストレッチャーに関する。
【背景技術】
【０００２】
従来、高齢者や身体障害者等の介助が必要な者（要介助者）を入浴させる際に、入浴用担架が使用されることがある（例えば特許文献１や２参照）。入浴者（要介助者）が載せられた入浴用担架は、ストレッチャーに載せられた状態で浴槽に横付けされ、浴槽に設けられる支持台上に移送される。この後、浴槽が上昇する、或いは、支持台が下がることによって、入浴者は浴槽内の湯に浸かることができる。
【先行技術文献】
【特許文献】
【０００３】
【特許文献１】特開２００９−１９５５３６号公報
【特許文献２】特開２０１１−６２４３７号公報
【発明の概要】
【発明が解決しようとする課題】
【０００４】
図６に示すように、従来の一般的な入浴用担架１００には、主に入浴者Ｍの下半身（臀部や脚部）を載せる第１の部分１０１と、主に入浴者Ｍの上半身（背部や頭部）を載せる第２の部分１０２と、が備えられている。第２の部分１０２は、第１の部分１０１に回動可能に連結されている。
【０００５】
例えば、ストレッチャーによって入浴者Ｍを搬送する場合や、ストレッチャー上において入浴者Ｍの体を洗う場合等には、第２の部分１０２は、第１の部分１０１に対して殆ど傾いていない状態（フラット状態）にされる（図６（ａ）参照）。一方、入浴時（入浴者を浴槽の湯に浸からせる時）には、例えば入浴者の顔等が浴槽内の湯に浸からないように、第２の部分１０２は、第１の部分１０１に対してある程度傾いた状態（傾斜状態）にされる（図６（ｂ）参照）。入浴者の上半身が載せられる部分を傾斜変更する際に大きな力が必要であると、例えば介助者等への負荷が大きくなるために、当該傾斜変更に必要な力は、できるだけ小さいのが好ましい。
【０００６】
また、図６に示すように、第２の部分１０２を第１の部分１０１に対して回動させる際の回動中心Ｏ１と、入浴用担架１００に載る入浴者Ｍの回動中心Ｏ２とは、ずれた位置にある。このために、第２の部分１０２を持ち上げて図６（ａ）に示すフラット状態から図６（ｂ）に示す傾斜状態に変更する場合、入浴者Ｍの上半身が入浴用担架１００の第２の部分１０２をせり上がって位置ずれを起こす。この位置ずれは、入浴者Ｍに対して不快感を与えることが懸念される。不快感を覚えた入浴者Ｍは、腰部の位置をずらす等の不適切な姿勢変更を行う可能性があるので好ましくない。
【０００７】
以上の点に鑑みて、本発明の目的は、上半身を載せる部分の傾斜変更に必要な力を軽減できる入浴用担架を提供することである。また、本発明の他の目的は、上半身を載せる部分の傾斜変更の際に入浴者が不快に感じ難い入浴用担架を提供することである。更に、本発明の他の目的は、前述した効果が得られる入浴用担架を備えるストレッチャーを提供して、介助作業を行い易くすることである。
【課題を解決するための手段】
【０００８】
上記目的を達成するために本発明の入浴用担架は、下半身を載せる部分を構成する第１のフレーム部と、前記第１のフレーム部に回動可能に連結されて上半身を載せる部分を構成する第２のフレーム部と、前記第１のフレーム部と前記第２のフレーム部との連結部分を跨ぐように当該２つのフレーム部に連結されて腰部を載せる部分を構成すると共に、前記第２のフレーム部の回動に連動する第３のフレーム部と、を備える構成（第１の構成）になっている。
【０００９】
本構成によれば、第２のフレーム部の回動に連動する第３のフレーム部が設けられているために、入浴者の頭部が所望の高さ位置（第３のフレーム部が無い従来の場合と同様の高さ位置）となるように第２のフレーム部を操作して上半身を起こすにあたって、入浴者の腰部近傍の傾斜角度を小さくできる。このために、本構成によれば、介助者が入浴者の上半身を起こすために第２のフレーム部を操作する際の操作力を軽減できる。また、本構成によれば、第３のフレーム部の存在によって、第２のフレーム部の回動中心と、入浴者の上半身側の重心位置とを近づけられるので、前述の操作力を軽減できる。
【００１０】
上記第１の構成の入浴用担架において、前記第３のフレーム部は、前記第１のフレーム部に回動可能に連結されると共に、前記第２のフレーム部に回動可能且つスライド移動可能に連結される構成（第２の構成）であるのが好ましい。本構成によれば、第２のフレーム部を操作して入浴者の上半身を起こす際に、第３のフレーム部のスライド移動を利用して、入浴者が入浴用担架に対して位置ずれを起こした感覚を与え難くできる。
【００１１】
上記第２の構成の入浴用担架において、前記第２のフレーム部には、当該フレーム部に対してスライド移動可能なカバーが取り付けられている構成（第３の構成）であるのが好ましい。本構成によれば、第２のフレーム部を操作して入浴者の上半身を起こす際に、第３のフレーム部のスライド移動を利用して第２のフレーム部に取り付けられているカバーを動かし、入浴者が入浴用担架に対して位置ずれを起こした感覚を与え難くできる。
【００１２】
上記第３の構成の入浴用担架において、前記第３のフレーム部は、前記カバーに回動可能に連結されている構成（第４の構成）であるのが好ましい。本構成によれば、第３のフレーム部の動きと独立してカバーがスライド移動することがなくなるので、入浴者に余計な不快感を与えないようにできる。
【００１３】
また、上記目的を達成するために本発明のストレッチャーは、上記第１から第４のいずれかの構成の入浴用担架を分離可能に備える構成（第５の構成）になっている。
【００１４】
本構成によれば、介助者によって作業性が良く、要介助者が快適に使用できるストレッチャーを提供できる。
【００１５】
上記第５の構成のストレッチャーは、前記第１のフレーム部に設けられるローラーが移動するレールを有して前記入浴用担架を移動可能に支持する担架支持部を備える構成（第６の構成）であってよい。
【発明の効果】
【００１６】
本発明によれば、上半身を載せる部分の傾斜変更に必要な力を軽減できる入浴用担架を提供できる。また、本発明によれば、上半身を載せる部分の傾斜変更の際に入浴者が不快に感じ難い入浴用担架を提供できる。また、本発明によれば、介助者の介助作業を行い易いストレッチャーを提供できる。
【図面の簡単な説明】
【００１７】
【図１】本発明の実施形態に係るストレッチャーの構成を示す概略側面図
【図２】本発明の実施形態に係る入浴用担架の構成を示す概略断面図
【図３】本発明の実施形態に係る入浴用担架の構成を示す概略斜視図
【図４】本発明の実施形態に係る入浴用担架が傾斜状態である場合の概略断面図
【図５】本発明の実施形態に係る入浴用担架がフラット状態である場合の概略断面図
【図６】従来の入浴用担架の懸念事項を説明するための模式図
【発明を実施するための形態】
【００１８】
以下、本発明の実施形態に係る入浴用担架及びストレッチャーについて、図面を参照しながら詳細に説明する。
【００１９】
図１は、本発明の実施形態に係るストレッチャー１の構成を示す概略側面図である。図１には、理解を容易とするために、ストレッチャー１上に載せられる入浴者Ｍも示されている。図１に示すように、ストレッチャー１は、台車部１０と、台車部１０に分離可能に支持される入浴用担架２０と、を備えている。
【００２０】
台車部１０は、下部フレーム１１と上部フレーム１２とを含む。下部フレーム１１の四隅に車輪１３が設けられている。また、下部フレーム１１には、下部フレーム１１に対して上部フレーム１２を昇降可能とするパンタグラフ手段１４が設けられている。パンタグラフ手段１４の駆動には、例えば電動アクチュエータ１５が利用される。
【００２１】
上部フレーム１２には、入浴用担架２０を移動可能に支持する担架支持台１６が含まれる。担架支持台１６には、入浴用担架２０に備えられるローラーと対になって使用される一対のレール１７、１７が設けられている。ストレッチャー１が浴槽（不図示）に横付けされ、パンタグラフ手段１４によって担架支持台１６の高さが適当な高さに調節されると、入浴用担架２０は、浴槽内に設けられる不図示の担架台（こちらにもレールが設けられている）に移送される。入浴用担架２０が担架台に移送された後、浴槽の上昇、或いは、担架台の下降等が行われることによって、入浴者は浴槽内の湯に浸かることができる。
【００２２】
図２は、本発明の実施形態に係る入浴用担架２０の構成を示す概略断面図である。図３は、本発明の実施形態に係る入浴用担架２０の構成を示す概略斜視図である。なお、図３は、入浴用担架２０の一部を拡大して示した図である。また、図３に示す入浴用担架２０は、図１に示す入浴用担架２０を斜め後方から見た図である。前後の表現は、入浴用担架２０に載る入浴者Ｍを基準とした表現である。また、図２は、図３のＡ−Ａ位置における断面図である。図１に加えて、図２及び図３も参照しながら入浴用担架２０の構成について説明する。
【００２３】
入浴用担架２０は、主に入浴者Ｍの下半身を載せる部分を構成する第１のフレーム部２１を備えている。第１のフレーム部２１の上面側の一部には、第１のカバー２１１が固定配置されている。第１のフレーム部２１の下面側には、複数のローラー２１２が一列に並ぶローラー列２１２Ｌが、入浴用担架２０の長手方向（図２において左右方向）に間隔をあけて一対設けられている。一対のローラー列２１２Ｌ、２１２Ｌは、上述した一対のレール１７、１７上に配置されるように設けられている。ローラー２１２がレール１７上を転がることによって、入浴用担架２０は、ストレッチャー１の担架支持台１６から分離する。
【００２４】
なお、本実施形態においては、第１のフレーム部２１は、関節軸２１３を含み、途中で折り曲げることが可能になっている。ただし、この構成は例示にすぎず、第１のフレーム部２１は途中で折り曲げられなくてもよい。
【００２５】
入浴用担架２０は、主に入浴者Ｍの上半身を載せる部分を構成する第２のフレーム部２２を備えている。第２のフレーム部２２は、第１のフレーム部２１の一端部に固定される連結軸３０を介して、第１のフレーム部２１に対して回動可能に連結されている。第２のフレーム部２２の上面側の一部には、第２のカバー２２１が取り付けられている。第２のカバー２２１の裏面側には、第２のカバー２２１の長手方向に延在する一対のスライドガイド２２２、２２２が設けられている。第２のカバー２２１は、一対のスライドガイド２２２、２２２を利用して、スライド移動可能に第２のフレーム部２２に取り付けられている。
【００２６】
入浴用担架２０は、側面視した場合に、第１のフレーム部２１と第２のフレーム部２２との連結部分（連結軸３０が設けられる部分）を跨ぐように当該２つのフレーム部２１、２２に連結される第３のフレーム部２３を備えている。第３のフレーム部２３は、主として入浴者Ｍの腰部を載せる部分を構成する。第３のフレーム部２３の上面側の一部には、第３のカバー２３１が固定配置されている。
【００２７】
第３のフレーム部２３は、その一端側において、連結軸３１を介して第１のフレーム部２１に回動可能に連結されている。なお、連結軸３１は、第１のフレーム部２１に固定されている。
【００２８】
また、第３のフレーム部２３は、その他端側において、両端に回動可能に取り付けられたローラー３３を有する連結軸３２を介して、第２のフレーム部２２に回動可能且つスライド移動可能に連結されている。また、第３のフレーム部２３は、連結軸３２を介して第２のカバー２２１に回動可能に連結されている。
【００２９】
第２のカバー２２１の第３のカバー２３１寄りの一端部には、連結用突起２２３が形成されている。なお、連結用突起２２３は第２のカバー２２１の裏面に形成されている。この連結用突起２２３には略コの字型の連結部材２２４が固定されている。連結軸３２は、その両端部側が連結部材２２４及び第３のフレーム部２３に遊嵌されている。換言すると、連結軸３２は、連結部材２２４及び第３のフレーム部２３に回動可能に保持されている。また、第３のフレーム部２３は、連結軸３２に対して回動できる。連結軸３２の両端に設けられる一対のローラー３３、３３は、それぞれ、第２のフレーム部２２の内側に設けられる一対のガイド部材３４、３４（断面視略コの字状の部材）の溝に嵌め込まれている。
【００３０】
入浴用担架２０は、例えばストレッチャー１に載せられて入浴者を搬送する用途で使用される場合には、通常、第２のフレーム部２２及び第３のフレーム部２３が第１のフレーム部２１に対して殆ど傾斜していない状態（フラット状態）にされる。また、入浴用担架２０は、浴槽（不図示）側に移送されて入浴者を入浴させる用途で使用される場合には、通常、第２のフレーム部２２及び第３のフレーム部２３が第１のフレーム部２１に対して傾斜した状態（例えば図１に示す状態が該当する）にされる。なお、フラット状態と傾斜状態との切り換えは、浴槽の昇降を利用して自動で行われる場合と、入浴用担架２０がストレッチャー１上に搭載された状態で介助者によって手動で行われる場合とがある。
【００３１】
以下、図４及び図５を参照しながら、入浴用担架２０をフラット状態から傾斜状態へと切り換える場合の、入浴用担架２０の動作について説明する。なお、図４は、本発明の実施形態に係る入浴用担架２０が傾斜状態である場合の概略断面図である。図５は、本発明の実施形態に係る入浴用担架２０がフラット状態である場合の概略断面図である。図４は、図３のＢ−Ｂ位置における断面図である。図５は、図４と同様の位置における断面図である。
【００３２】
入浴用担架２０をフラット状態（図５に示す状態）から傾斜状態（図４に示す状態）にする場合、第２のフレーム部２２を持ち上げる方向の力が加えられる。これにより、第２のフレーム部２２が連結軸３０を中心として第１のフレーム部２１に対して回動を開始する。この際の回動方向は、図５に示す矢印Ｒ方向である。
【００３３】
第１のフレーム部２１に対する第２のフレーム部２２の回動開始に伴い、第２のフレーム部２２に連結される第３のフレーム部２３も、連結軸３１を中心として同方向（Ｒ方向）に回動を開始する。ただし、第３のフレーム部２３は、単に連結軸３１を中心とした回動を開始するだけではない。第３のフレーム部２３は、連結軸３２を中心として第２のフレーム部２２に対して回動を開始すると共に、ローラー３３とガイド部材３４との関係を利用して、第２のフレーム部２２に対してスライド移動も開始する。スライド移動の方向は、図５に示す矢印Ｍ方向である。
【００３４】
第３のフレーム部２３が第２のフレーム部２２に対してスライド移動を開始すると、第３のフレーム部２３に連結される第２のカバー２２１も第２のフレーム部２２に対してスライド移動を開始する（図５のＭ方向に移動）。第２のフレーム部２２の位置は、所望の位置まで回動した場合に、不図示のロック機構でロックできるようになっている。このために、図４に示す傾斜状態が得られる。傾斜状態では、第１のフレーム部２２に対する傾斜角度は、第２のフレーム部２２に比べて第３のフレーム部２３の方が小さくなる。
【００３５】
なお、ロック機構によるロックを解除することにより、上述したのと逆の動作によって、フラット状態（図５に示す状態）が得られる。
【００３６】
本実施形態の入浴用担架２０では、傾斜状態において、入浴者Ｍの上半身（腰部を含む）を傾ける角度が二段階になっている。詳細には、入浴者Ｍの腰部（及び背中の一部）を傾斜する角度は小さく、腰部より上の部分を傾斜する角度は大きくなっている。このように構成しているために、入浴者Ｍの上半身を傾ける角度が単一の構成であるものに比べて、入浴者Ｍを持ち上げる力を小さくできる。
【００３７】
また、第３のフレーム部２３の追加によって、傾斜状態を得るために回動させる第２のフレーム部２２の回動中心（連結軸３０）が、入浴者Ｍの上半身の重心位置に近づくために、傾斜状態を得るための操作力を軽減できる。
【００３８】
また、フラット状態から傾斜状態を得る際に、入浴者Ｍの上半身が載る第２のカバー２２１が、第２のフレーム部２２に対して特定の方向（第１のフレーム部２１から離れる方向）にスライド移動する。このために、フラット状態から傾斜状態に変更した際に、入浴者Ｍに位置ずれが発生した感覚を与え難くできる。すなわち、傾斜変更の際に入浴者Ｍが不快に感じ難くできる。
【００３９】
以上に示した実施形態は、本発明の例示にすぎない。以上に示した実施形態の構成は、本発明の技術的思想を超えない範囲で適宜変更されて構わない。
【００４０】
例えば、以上に示した実施形態では、第３のフレーム部２３と第２のカバー２２１とを連結したが、場合によっては、これらは連結されなくてもよい。
【００４１】
また、３つのフレーム部２１、２２、２３のそれぞれに対して設けられるカバー２１１、２２１、２３１上に、クッション性の良いマット部材が取り付けられてもよい。また、第２のカバー２２１上には、入浴者Ｍの頭部を載せる枕部が設けられてもよい。
【００４２】
また、入浴用担架２０には、入浴用担架２０に載った入浴者Ｍの転落を防止するサイドフェンスが適宜設けられてもよい。
【符号の説明】
【００４３】
１  ストレッチャー
１６  担架支持部
１７  レール
２０  入浴用担架
２１  第１のフレーム部
２２  第２のフレーム部
２３  第３のフレーム部
２１２  ローラー
２２１  第２のカバー
【図１】
2016016213.tif 000003
【図２】
2016016213.tif 000004
【図３】
2016016213.tif 000005
【図４】
2016016213.tif 000006
【図５】
2016016213.tif 000007
【図６】
2016016213.tif 000008